(57)【要約】【課題】温水洗浄便座においては、使用者が便座に着座したときの体重によって便座が下降しスイッチ装置が作動する仕組みになっている。そして着座したとき便座が正規に下降しなければ、このスイッチ装置が作動しない。本発明は、このスイッチ装置が作動する位置を調節可能とすることによって、使用状況に応じてスイッチ装置が正確に作動できる状態に調節して安定したスイッチ作動が得られるようにするものである。【解決手段】開閉する便座の軸部に対応配置され着座時の便座の下降によって作動する仕組みのスイッチ装置であって、便座の下降によってスイッチ装置が作動する時点を調節する調整部材が軸部に回動可能に組み込まれたことを特徴とする。【選択図】図５
2008082003.tif 000002
【特許請求の範囲】
【請求項１】
開閉する便座の軸部に対応配置され着座時の便座の下降によって作動する仕組みのスイ
ッチ装置であって、前記便座の下降によって前記スイッチ装置が作動する時点を調節する
調整部材が前記軸部に回動可能に組み込まれたことを特徴とする温水洗浄便座の着座スイ
ッチ装置。
【請求項２】
開閉する便座の軸部に対応配置され着座時の便座の下降によって作動する仕組みのスイ
ッチ装置であって、前記便座の下降によって前記スイッチ装置が作動する時点を調節する
調整部材が前記軸部の外側に回動可能に組み込まれ、前記調整部材は外周面に前記スイッ
チ装置との作動距離が異なる複数の突起部と、前記調整部材の回動によって前記突起部の
一つ一つが前記スイッチ装置に対応する位置となるように前記軸部に対する前記調整部材
の回動位置決め部を備え、前記調整部材の回動によって前記突起部の一つが前記スイッチ
装置に対応するよう調節可能としたことを特徴とする温水洗浄便座の着座スイッチ装置。
【請求項３】
開閉する便座の軸部に対応配置され着座時の便座の下降によって作動する仕組みのスイ
ッチ装置であって、前記便座の下降によって前記スイッチ装置が作動する時点を調節する
調整部材が前記軸部の外側に回動可能に組み込まれ、前記調整部材は外周面に前記スイッ
チ装置との作動距離が異なる複数の突起部と、前記調整部材の回動によって前記突起部の
一つ一つが前記スイッチ装置に対応する位置となるように前記軸部に対する前記調整部材
の回動位置決め部を備え、前記調整部材の回動によって前記突起部の一つが前記スイッチ
装置に対応することにより、前記便座が下降したときの前記スイッチ装置の作動時点を調
節可能としたことを特徴とする温水洗浄便座の着座スイッチ装置。
【請求項４】
前記複数の突起部は、前記調整部材の外周面に階段状の円弧突起でもって形成され、そ
の段数は２段または３段に形成されていることを特徴とする、請求項２または３に記載の
温水洗浄便座の着座スイッチ装置。
【請求項５】
前記調整部材は前記便座の上面側から手動回動操作できる操作部を備えたことを特
徴とする、請求項２〜４のいずれか１項に記載の温水洗浄便座の着座スイッチ装置。
【発明の詳細な説明】
【技術分野】
【０００１】
本発明は、便座に着座したとき作動する温水洗浄便座の着座スイッチ装置に関する。
【背景技術】
【０００２】
このような温水洗浄便座において、使用者が便座に着座したことを検出する検出装置を
設け、この検出装置が作動したことによって、ノズルから温水を噴射することができるよ
うにしている。この検出装置として、機械式スイッチ装置、電磁誘導式スイッチ装置、ま
たは光センサ式スイッチ装置がある。この中で、機械式スイッチ装置の場合、便器上面に
当接するよう便座下面に設けた当接脚部にスイッチを設け、使用者が便座に着座したとき
の体重によって便座が下降して、このスイッチが作動するものがある。（例えば、特許文
献１参照）。
【特許文献１】特開２００４−１１６１０４号公報
【発明の開示】
【発明が解決しようとする課題】
【０００３】
このスイッチが作動しない場合は、ノズルから温水を噴射することができないため、便
座に着座したとき、このスイッチが常に作動することが必要である。しかし、便座に着座
する位置は各人異なり、また着座する人の体重も各人異なる。このため、着座したとき便
座が正規の状態に下降しなければ、このスイッチ装置が作動しない場合が生じる。
【０００４】
本発明はこのような点に鑑み、着座スイッチ装置を便座の軸部に設け、着座によってこ
の軸部が下降したとき着座スイッチが正常に作動するように調節可能とすることによって
、使用状況に応じてスイッチ装置が正確に作動できる状態に調節して、安定したスイッチ
作動が得られるようにするものである。
【課題を解決するための手段】
【０００５】
第１発明の温水洗浄便座の着座スイッチ装置は、開閉する便座の軸部に対応配置され着
座時の便座の下降によって作動する仕組みのスイッチ装置であって、前記便座の下降によ
って前記スイッチ装置が作動する時点を調節する調整部材が前記軸部に回動可能に組み込
まれたことを特徴とするものである。
【０００６】
第２発明の温水洗浄便座の着座スイッチ装置は、開閉する便座の軸部に対応配置され着
座時の便座の下降によって作動する仕組みのスイッチ装置であって、前記便座の下降によ
って前記スイッチ装置が作動する時点を調節する調整部材が前記軸部の外側に回動可能に
組み込まれ、前記調整部材は外周面に前記スイッチ装置との作動距離が異なる複数の突起
部を備え、前記調整部材の回動によって前記突起部の一つが前記スイッチ装置に対応する
ことにより、前記便座が下降したときの前記スイッチ装置の作動時点を調節可能としたこ
とを特徴とするものである。
【０００７】
第３発明の温水洗浄便座の着座スイッチ装置は、開閉する便座の軸部に対応配置され着
座時の便座の下降によって作動する仕組みのスイッチ装置であって、前記便座の下降によ
って前記スイッチ装置が作動する時点を調節する調整部材が前記軸部の外側に回動可能に
組み込まれ、前記調整部材は外周面に前記スイッチ装置との作動距離が異なる複数の突起
部と、前記調整部材の回動によって前記突起部の一つ一つが前記スイッチ装置に対応する
位置となるように前記軸部に対する前記調整部材の回動位置決め部を備え、前記調整部材
の回動によって前記突起部の一つが前記スイッチ装置に対応することにより、前記便座が
下降したときの前記スイッチ装置の作動時点を調節可能としたことを特徴とするものであ
る。
【０００８】
第４発明の温水洗浄便座の着座スイッチ装置は、前記第２発明または第３発明において
、前記複数の突起部は、前記調整部材の外周面に階段状の円弧突起でもって形成され、そ
の段数は２段または３段に形成されていることを特徴とする。
【０００９】
また、第５発明の温水洗浄便座の着座スイッチ装置は、前記第２発明乃至第４発明にお
いて、前記調整部材は前記便座の上面側から手動回動操作できる操作部を備えたことを特
徴とする。
【発明の効果】
【００１０】
第１発明において、調整部材が便座軸部に回動可能に組み込まれているため、調整部材
の取り付けがし易く、しかも便座が下降したときのスイッチ装置の作動時点の調節箇所と
して好適である。そして、便座の下降によってスイッチ装置が作動する時点の調節は、調
整部材の回動によって行うことができ、調節がし易いものとなる。
【００１１】
第２発明は、  第１発明の効果に加えて、調整部材が便座軸部の外側に回動可能に組み
込まれ、調整部材は外周面にスイッチ装置との作動距離が異なる複数の突起部を備るため
、突起部の一つがスイッチ装置に対応するように調整部材を回動させれば、使用状況に応
じてスイッチ装置が正確に作動できる状態に調節できる。
【００１２】
第３発明は、  第１発明の効果に加えて、調整部材が便座軸部の外側に回動可能に組み
込まれ、調整部材は外周面にスイッチ装置との作動距離が異なる複数の突起部を備るため
、突起部の一つがスイッチ装置に対応するように調整部材を回動させれば、使用状況に応
じてスイッチ装置が正確に作動できる状態に調節できる。この場合、回動位置決め部によ
って、突起部の一つ一つがスイッチ装置に対応する状態を保持できるため、便座が下降し
たときのスイッチ装置の作動時点の選択がし易くなる。
【００１３】
第４発明は、第２発明または第３発明の効果に加えて、複数の突起部は、階段状の円弧
突起でもって２段または３段に形成されていることにより、調整部材の一方向回動によっ
てスイッチ装置との作動距離が縮まり、逆方向回動によってスイッチ装置との作動距離が
広がる調節となるため、調整がし易くなる。
【００１４】
第５発明は、第２発明乃至第４発明の効果に加えて、調整部材は便座の上面側から手動
回動操作できることにより、工具なしにその都度調節でき、便利である。
【発明を実施するための最良の形態】
【００１５】
本発明に係る温水洗浄便座の着座スイッチ装置は、開閉する便座の軸部に対応配置され
着座時の便座の下降によって作動する仕組みのスイッチ装置であって、前記便座の下降に
よって前記スイッチ装置が作動する時点を調節する調整部材が前記軸部に回動可能に組み
込まれたことを特徴とするものであり、本発明の実施例を以下に記載する。
【実施例１】
【００１６】
本発明の実施形態について説明する。図１は本発明に係る温水洗浄便座の蓋が閉まった
状態の斜視図、図２は本発明に係る温水洗浄便座の蓋を取り外した状態の斜視図、図３は
本発明に係る温水洗浄便座の蓋と機能部分のカバーを取り外した状態の斜視図、図４は本
発明に係る温水洗浄便座の機能部分のカバーを取り外した状態の平面図、図５は本発明に
係る温水洗浄便座の軸部に取り付けた調整部材とスイッチ装置の関係を示す断面図、図６
は図５のＰ−Ｐ矢視図、図７は本発明に係る温水洗浄便座の軸部に調整部材を取り付けた
状態の正面図、図８は図７の右側面図、図９は本発明に係る調整部材の斜視図である。
【００１７】
図１乃至図４において、１は本発明の温水洗浄便座を示しており、裏側から絶縁被覆さ
れたコードヒータで加温される便座２と、便座２の上面を覆う開閉蓋３と、便座２及び開
閉蓋３の後方に位置して後述の機能部１０を配置すると共に便座２及び開閉蓋３を開閉回
動可能に支持する取り付け基材部８を備えている。取り付け基材部８には、便座２の後部
下側へ延びる肛門洗浄用ノズル４Ａやビデ洗浄用ノズル４Ｂや温水タンク５や電装部６等
の機能部１０が配設された基台部８Ａを備え、機能部１０を覆うようにカバー７が取り付
け基材部８に着脱自在に取り付けられている。蓋３の後端部の駆動側（図では右側）は、
基台部８Ａに支持部材を介して取り付けた電動機装置９によって往復回転する回転軸１１
に取り付けられて上方に開閉回動可能である。また、便座２の後端部の駆動側（図では左
側）は、取り付け基材部８に取り付けた電動機装置１２によって往復回転する回転軸１３
に取り付けられている。また、便座２の後端部の従動側（図では右側）は、便座２の後端
部から水平方向に外向きに突出した円筒状軸部２４が一体に形成され、この円筒状軸部２
４内に進入するように取り付け基材部８から延びた水平方向軸によって、回動可能に支持
されている。なお、円筒状軸部２４が取り付け基材部８の軸受け部に支持される構成でも
よい。
【００１８】
温水タンク５へ供給される水道水は、水道水配管に接続されたパイプジョイント装置１
４から、取り付け基材部８に取り付けた電磁弁と減圧弁を順次通って供給される。１５は
温風用電気ヒータを内蔵した温風供給装置であり、取り付け基材部８に取り付けられてい
て、便座２の後部下側へ延びる温風ノズル１５Ａから温風を供給する。
【００１９】
温水タンク５は、下面開口の上タンク部５Ａと上面開口の下タンク部５Ｂとが、それぞ
れ上タンク部５Ａの下面開口周縁部５Ａ１と下タンク部５Ｂの上面開口周縁部５Ｂ１が、
接合面Ｐにて接合されて一体化される構成である。この接合は、下面開口周縁部５Ａ１と
上面開口周縁部５Ｂ１を接着剤によって接合するものと、下面開口周縁部５Ａ１と上面開
口周縁部５Ｂ１を溶着にて接合するものとがあり、後者の場合は、高周波溶着等の手段が
ある。
【００２０】
上タンク部５Ａの下面開口と下タンク部５Ｂの上面開口は、同形状をなしているが、下
タンク部５Ｂの下部は上部に比して小容積に絞られて、シースヒータ１６が水平方向に配
設される加温室５Ｃを形成している。パイプジョイント装置１４から減圧弁を通って供給
される水は、加温室５Ｃの底に貫通したパイプ１９から加温室５Ｃ内に設けたバッフル板
２０に向けて供給されが、この小容積加温室５Ｃによって温水タンク５内の水は速やかに
加熱され、対流によって温水タンク５内の全体の水が速やかに加熱される。
【００２１】
シースヒータ１６は、取り付けナット１７によって加温室５Ｃの側面に取り付けられ、
その端子部１６Ａが加温室５Ｃ外に位置する。この端子部１６Ａは、加温室５Ｃの上部が
下タンク部５Ｂの上面開口周縁部５Ｂ１に向かって広がることによって形成される庇部５
Ｂ２によって上方が覆われ、この庇部５Ｂ２の下側空間で外部リード線と接続して、この
部分を保護している。温水タンク５の上壁には、温水タンク５内の湯温を検知する温度検
知部２１と、温水タンク５内の湯温レベルを検知するフロートスイッチ２２と、温水タン
ク５内の湯温のオーバーフロー用パイプの取り付け部２３が設けられている。
【００２２】
スイッチ装置２５は、開閉する便座２の軸部２４に対応配置され、着座時の便座２の下
降によって作動する仕組みのスイッチ装置であり、図では、便座２の後端部の従動側（図
では右側）に形成した円筒状軸部２４に対応した下方に、スイッチ装置２５が配置されて
いる。このスイッチ装置２５は、取り付け基材部８または基台部８Ａに取り付けている。
図では、取り付け基材部８に取り付けフランジ部をネジ２６によって取り付けた状態を示
している。便座２は、その裏側に間隔を存して複数個の弾性脚部２Ａが設けられ、便器上
面に便座２を倒した状態で、この弾性脚部２Ａが便器上面に当接する。この弾性脚部２Ａ
によって、便座２に着座した使用者の体重によって軸部２４側が下降する構成であり、軸
部２４が下降することによってスイッチ装置２５が作動する仕組みである。この具体的構
成を以下に記載する。
【００２３】
スイッチ装置２５は、スイッチケース２７に収納した着座検出用スイッチ２８を備え、
スイッチ２８は、バネ（図示せず）力によってスイッチケース２７の上方に突出した棒状
の作動部２９が、外力によって下方へ押されることによって、スイッチケース２７内部の
接点がＯＮまたはＯＦＦする仕組みである。作動部２９の上方には、開口部をスイッチケ
ース２７に液密状態に取り付けた逆カップ状の弾性カバー３０が配置され、ゴム等で構成
した弾性カバー３０の中央には作動部２９に対応する押し圧部３０Ａが垂下し、作動部２
９と押し圧部３０Ａを取り囲んでスイッチ２８と弾性カバー３０に亘るコイルバネ３１に
よって、弾性カバー３０が上方へ付勢されている。これによって、弾性カバー３０の上部
が押されることによって、押し圧部３０Ａによって作動部２９が押されて下降し、スイッ
チケース２７内部の接点がＯＮまたはＯＦＦする。
【００２４】
軸部２４の外側には円筒状の調整部材３２が回動可能に嵌合している。調整部材３２は
、外周面にスイッチ装置２５との作動距離が異なる複数の突起部３３を一体形成しており
、突起部３３は、図では、連続した階段状の円弧状突起３３Ａ、３３Ｂ、３３Ｃでもって
、低、中、高の３段の高さに形成されている。また、調整部材３２の回動によって突起部
３３Ａ、３３Ｂ、３３Ｃの一つ一つがスイッチ装置２５に対応する位置となるように、軸
部２４に対する調整部材３２の回動位置決め部３４を備えている。回動位置決め部３４は
、軸部２４と調整部材３２のいずれか一方に形成した係止突起３４Ａと、係止凹部３４Ｂ
との組み合わせである。図では、突起部３３Ａ、３３Ｂ、３３Ｃに対応して調整部材３２
の内面に３つの係止凹部３４Ｂが形成され、軸部２４の外面には一つの係止突起３４Ａが
形成され、これによって、調整部材３２の回動させることによって、軸部２４と調整部材
３２の双方または一方の弾性力を利用して、係止突起３４Ａが３つの係止凹部３４Ｂの一
つずつに順次嵌まることによって、調整部材３２の位置決めができる構成である。
【００２５】
調節のための調整部材３２の回動は、手動回動できるようになっている。このため、調
整部材３２はカバー７と便座２の間に露出する環状の操作部３５を一体形成している。調
整部材３２の調節位置が使用者から目視できるように、調節位置表示部３６を備えている
。調節位置表示部３６は、図では、カバー７の側面７Ａに調節位置を示す表示線３６Ａを
付し、環状の操作部３５に外面には突起部３３Ａ、３３Ｂ、３３Ｃに対応して低、中、高
の表示部３６Ｂを付しているが、他の表示構成であっても差し支えない。
【００２６】
このような構成において、コイルバネ３１によって上方へ付勢された弾性カバー３０は
、調整部材３２の突起３３Ａ、３３Ｂ、３３Ｃの一つ、例えば、一番低い突起３３Ａに当
接した状態である。この場合、調整部材３２の位置は「低」の表示部３６Ｂが表示線３６
Ａに一致し、係止突起３４Ａが一つの係止凹部３４Ｂに嵌合して、その位置が保持された
状態である。この状態は、軸部２４が下降してスイッチ装置２５が作動するまでの距離が
、一番大きい場合である。この状態で使用したとき、着座時の便座の下降によってスイッ
チ装置２５が正確に作動し、温水洗浄スイッチが操作されたとき、温水の噴射が行われる
場合は、この状態で使用すればよい。
【００２７】
もし、着座時の便座の下降が不十分なことによって、スイッチ装置２５が正確に作動し
ない場合は、温水洗浄スイッチを操作しても、温水の噴射が行われない。この場合は、調
整部材３２の操作部３５を操作して、図６に示すように、「中」の表示部３６Ｂを表示線
３６Ａに合わせる位置へ回動させる。この状態で、係止突起３４Ａが一つの係止凹部３４
Ｂに嵌合し、その位置が保持される。この状態は、軸部２４が下降してスイッチ装置２５
が作動するまでの距離が、やや縮まった状態である。この状態で使用したとき、着座時の
便座の下降によってスイッチ装置２５が正確に作動し、温水洗浄スイッチが操作されたと
き、温水の噴射が行われる場合は、この状態で使用すればよい。
【００２８】
もし、それでも着座時の便座の下降が不十分なことによって、スイッチ装置２５が正確
に作動せず、温水洗浄スイッチを操作しても、温水の噴射が行われない場合は、調整部材
３２の操作部３５を操作して、「高」の表示部３６Ｂを表示線３６Ａに合わせる位置へ回
動させる。この状態で、係止突起３４Ａが一つの係止凹部３４Ｂに嵌合し、その位置が保
持される。この状態は、軸部２４が下降してスイッチ装置２５が作動するまでの距離が、
一番縮まった状態である。この状態によって、着座時の便座の下降によってスイッチ装置
２５が正確に作動し、温水洗浄スイッチが操作されたとき、温水の噴射が行われる。
【００２９】
このように、使用状態に応じて調整部材３２を操作することによって、適切な状態とす
ることができるため、故障クレームも少なくなる。また、調整部材３２の調節位置も目視
できるため、使用者が任意に調節可能となり、サービスマンを呼び出す必要もない。また
、従来構造の便座の軸部に調整部材３２を取り付けることにより達成できるため、構成も
簡単であり、低コスト構造になる。
【００３０】
上記の場合は、調整が３段階に行えるものであるが、２段階、４段階の構成とするもの
であってもよい。その場合も突起部３３が、３段階が２段階または４段階に変わるだけで
あって、上記構成と同様である。
【実施例２】
【００３１】
図１０には調整部材３２による調整が、便座２の側面側から螺子回し（ドライバ）３７
によって行える構成を示している。このため、調整部材３２は、軸部２４の外側端部を覆
う端面を形成しており、この端面に螺子回し（ドライバ）３７が差し込まれる操作溝３８
を形成している。また、カバー７または取り付け基材部８の側面にも螺子回し（ドライバ
）３７が差し込まれる操作孔３９が形成されている。この場合、操作部３５は不要である
が、操作部３５の部分を図６のように、単なる調節位置表示部３６として機能する構成と
することができる。その他の構成は実施例１と同様であり、上記同様の調整が可能な構成
である。
【００３２】
調節位置表示部３６の構成としては、図１１に示すように、操作孔３９の上部に調節位
置を示す表示線３６Ａを付し、操作溝３８を形成した端面に突起部３３Ａ、３３Ｂ、３３
Ｃに対応して低、中、高の表示部３６Ｂを付した構成とすることができる。
【産業上の利用可能性】
【００３３】
本発明は、上記実施例に示した構成に限定されず、種々の形態の温水洗浄便座に適用で
きるものであり、本発明の技術範囲において種々の形態を包含するものである。
【図面の簡単な説明】
【００３４】
【図１】本発明に係る温水洗浄便座の蓋が閉まった状態の斜視図である。（実施例１）
【図２】本発明に係る温水洗浄便座の蓋を取り外した状態の斜視図である。（実施例１）
【図３】本発明に係る温水洗浄便座の蓋と機能部分のカバーを取り外した状態の斜視図である。（実施例１）
【図４】本発明に係る温水洗浄便座の機能部分のカバーを取り外した状態の平面図である。（実施例１）
【図５】本発明に係る温水洗浄便座の軸部に取り付けた調整部材とスイッチ装置の関係を示す断面図である。（実施例１）
【図６】図５のＰ−Ｐ矢視図である。（実施例１）
【図７】本発明に係る温水洗浄便座の軸部に調整部材を取り付けた状態の正面図である。（実施例１）
【図８】図７の右側面図である。（実施例１）
【図９】本発明に係る調整部材の斜視図である。（実施例１）
【図１０】本発明に係る温水洗浄便座の軸部に取り付けた調整部材とスイッチ装置の他の構成に係る断面図である。（実施例２）
【図１１】図１０のＹ矢視における調節位置表示部の構成を示す図である。（実施例２）
【符号の説明】
【００３５】
１・・・・・温水洗浄便座
２・・・・・便座
３・・・・・開閉蓋
４Ａ・・・・肛門洗浄用ノズル
４Ｂ・・・・ビデ洗浄用ノズル
５・・・・・温水タンク
７・・・・・カバー
８・・・・・取り付け基材部
９・・・・・電動機装置
１０・・・・機能部
１２・・・・電動機装置
２４・・・・便座の軸部
２５・・・・スイッチ装置
２８・・・・スイッチ
２９・・・・作動部
３０・・・・弾性カバー
３１・・・・コイルバネ
３２・・・・調整部材
３３、３３Ａ、３３Ｂ、３３Ｃ・・・突起部
３４・・・・回動位置決め部
３４Ａ・・・係止突起
３４Ｂ・・・係止凹部
３５・・・・操作部
３６・・・・調節位置表示部
【図１】
2008082003.tif 000003
【図２】
2008082003.tif 000004
【図３】
2008082003.tif 000005
【図４】
2008082003.tif 000006
【図５】
2008082003.tif 000007
【図６】
2008082003.tif 000008
【図７】
2008082003.tif 000009
【図８】
2008082003.tif 000010
【図９】
2008082003.tif 000011
【図１０】
2008082003.tif 000012
【図１１】
2008082003.tif 000013